(57)【特許請求の範囲】
【請求項１】
一対の紙体の間にひだ折りされて段目が形成されている紙体が配置されて構成されているダンボールにより形成され、薄肉部を有する口栓付きパウチを収容する梱包体であって、
前記梱包体は、
一端に開口を有し前記開口を開閉可能なフラップが形成されている箱体と、
両端部が段目方向に折られてコの字型に形成され、当該段目方向と直交する方向の一方の端面から当該段目方向と直交する方向に切り欠きが形成され、当該箱体の内部に配置される口栓保護用仕切体と、
を備え、
当該口栓保護用仕切体は、
当該口栓保護用仕切体の段目方向の両端面が当該箱体の側体に当接するように配置され、当該口栓付きパウチの口栓が切り欠きに嵌め込まれ、前記口栓付きパウチの薄肉部がコの字型の部分に収容されることを特徴とする梱包体。
【請求項２】
当該梱包体の内部には、当該口栓付きパウチが上下左右に移動するのを防止するための移動防止用仕切体を備えており、
当該移動防止用仕切体は、
当該箱体の開口側に、当該移動防止用仕切体の段目方向と直交する方向の一方の端面が臨むように配置されていることを特徴とする請求項１に記載の梱包体。
【請求項３】
当該移動防止用仕切体は、口栓付きパウチの左右方向に移動するのを防止するための左右移動防止用仕切体と、上下方向に移動するのを防止するための上下移動防止用仕切体と、から構成され、
当該口栓保護用仕切体は前記梱包体の内部に２個並べて配置され、
当該左右移動防止用仕切体は、当該両口栓保護用仕切体の間であって、且つ当該箱体の内部を左右に区分けして配置され、
当該上下移動防止用仕切体は、当該口栓付きパウチがその軸線方向に移動しないように当該左右移動防止用仕切体と直交して配置されていることを特徴とする請求項１、又は２に記載の梱包体。
【発明の詳細な説明】
【技術分野】
【０００１】
本願は、例えば口栓付きパウチを梱包するための梱包体の技術分野に関する。
【背景技術】
【０００２】
口栓付きパウチなどの製品の出荷にあたり、搬送の利便性や製品の保護等の理由によりダンボール製の梱包体が利用されている。
【０００３】
従来は、当該製品の出荷にあたり、上方に開口を有し前記開口を開閉可能なフラップが形成されているダンボール製の箱体に当該口栓付きパウチなどの被梱包物を並べて収納し、当該被梱包物と箱体との間に発泡スチロールなどの緩衝材を入れて梱包して出荷していた。
【０００４】
当該口栓付きパウチは、パウチの一端に薄肉部を有する口栓を備えたものであり、使用する際には、当該薄肉部を折って使用するものである。
【発明の開示】
【発明が解決しようとする課題】
【０００５】
しかしながら、このような従来の梱包体では、被梱包物の搬送時、落下等外部からの衝撃によって、特に、梱包体の口栓側の側体に衝撃を受けると口栓の薄肉部が折れてしまうなどの問題があった。
【０００６】
また、搬送時の衝撃などにより、口栓付きパウチが移動し、搬送先で当該梱包体を開封した際に煩雑になってしまうなどの問題があった。
【０００７】
また、従来から梱包体のコストはなるべく抑えたいという要望がある。
【０００８】
そこで、本願は上記各問題点の解決を課題の一例として為されたもので、口栓付きパウチを安全に搬送可能であって、容易に組立て可能な梱包体を提供することを目的とする。
【課題を解決するための手段】
【０００９】
上記課題を解決するために、請求項１に記載の梱包体（１）は、一対の紙体（２ａ）の間にひだ折りされて段目が形成されている紙体（２ｂ）が配置されて構成されているダンボール（２）により形成され、薄肉部（２６ｂ）を有する口栓付きパウチ（Ｐ）を収容する梱包体であって、前記梱包体は、一端に開口を有し前記開口を開閉可能なフラップ（１４、１５）が形成されている箱体（５）と、両端部が段目方向に折られてコの字型に形成され、当該段目方向と直交する方向の一方の端面から当該段目方向と直交する方向に切り欠き（２０）が形成され、当該箱体の内部に配置される口栓保護用仕切体（６）と、を備え、当該口栓保護用仕切体は、当該口栓保護用仕切体の段目方向の両端面が当該箱体の側体（１３）に当接するように配置され、当該口栓付きパウチの口栓（２６）が切り欠きに嵌め込まれるとともに、当該口栓付きパウチの薄肉部（２６ｂ）がコの字型の部分に収容されることを特徴とする。
【００１０】
また、請求項２に記載の梱包体は、当該梱包体の内部には、当該口栓付きパウチが上下左右に移動するのを防止するための移動防止用仕切体（７、７ａ）を備えており、当該移動防止用仕切体は、当該箱体の開口側に、当該移動防止用仕切体の段目方向と直交する方向の一方の端面が臨むように配置されていることを特徴とする。
【００１１】
また、請求項３に記載の梱包体は、当該移動防止用仕切体は、口栓付きパウチの左右方向に移動するのを防止するための左右移動防止用仕切体（７）と、上下方向に移動するのを防止するための上下移動防止用仕切体（７ａ）と、から構成され、当該口栓保護用仕切体は、前記梱包体の内部に２個並べて配置され、当該左右移動防止用仕切体は、当該両口栓保護用仕切体の間であって、且つ当該箱体の内部を左右に区分けして配置され、当該上下移動防止用仕切体は、当該口栓付きパウチがその軸線方向に移動しないように当該左右移動防止用仕切体と直交して配置されていることを特徴とする。
【発明を実施するための最良の形態】
【００１２】
以下、本願の最良の実施形態について、図１乃至図６を用いて詳細に説明する。なお、以下に説明する実施の形態は、口栓付きパウチを内部に収容するための梱包体に適用した場合の実施形態である。なお、本願において梱包体に収容される被梱包物は薄肉部を有する口栓付きパウチを一例として説明するが、これに限定されるものではない。すなわち、薄肉部を有していない口栓付きパウチなどであっても構わない。
【００１３】
図１はダンボールの外観図、図２は梱包体の組み付け構成図、図３は口栓保護用仕切体の外観図、図４は梱包体の内部構成図、図５は梱包体に収容される口栓付きパウチの外観図、図６は口栓付きパウチを梱包体に収容した際の内部構成図、図７は他の実施形態の梱包体の内部構成図である。なお、以下の説明において、便宜的に、図４の上下左右方向を梱包体の上下左右方向と称して説明を行うものとする。
【００１４】
本願の梱包体１は、ダンボール２を所定の形状に切り分け、所定の形状に形成して製造されるものである。当該ダンボール２は、図１に示すように、互いの面が対向して配置される一対の紙体２ａと、当該紙体２ａの間に配置されるひだ折りされて段目が形成された紙体２ｂと、を備えて構成されている。なお、当該ダンボール２は、一般的に使用されているダンボールである。
【００１５】
梱包体１をダンボール製にすることにより、ダンボールを所定の形状に切り分けるのみで、当該梱包体１を製造することが可能であるので、コスト面での効果も大きい。さらに、容易に組立てられるので、組立作業時における作業性の向上が図れる。
【００１６】
図２に示すように、梱包体１は、後述する口栓付きパウチＰを収容するための箱体５と、箱体５の内部に設けられ、後述する当該口栓付きパウチＰの口栓２６（特に、後述する薄肉部２６ｂ）を保護するとともに当該箱体５の内部を仕切る口栓保護用仕切体６と、当該口栓保護用仕切体６が上部に配置され、口栓付きパウチＰの口栓２６の首部分を支持する支持体８と、当該口栓付きパウチＰが上下左右に移動するのを防止するとともに当該箱体５の内部を仕切る移動防止用仕切体７、７ａと、を備えている。なお、移動防止用仕切体７、７ａは、梱包時の口栓付きパウチＰを並べて配置する際の位置を定める位置決め手段としても機能するものである。
【００１７】
梱包時において、口栓付きパウチＰは、箱体５の上面から内部に並べて配置され、移動防止用仕切体７、７ａによりその形状が保たれつつ保持され、口栓２６の首部分が後述する口栓保護用仕切体６の切り欠きに嵌め入れられて箱体５の内部に収容される。最後に、箱体５の上面が閉じられて、口栓付きパウチＰの製品が梱包される。
【００１８】
箱体５は、矩形状の底体１１と、底体１１の外周から上方に垂設されて形成された４枚の側体１２、１２、１３、及び１３と、側体１２、１３の上方に折り曲げ線（符号なし）を介して形成されたフラップ１４、１４、１５、及び１５と、を有する。なお、箱体５は、所定の厚みを有するダンボールを所定の形に切り出し、折り返すことによって組み立てられるものである。即ち、箱体５は、上面に開口を有するダンボール製の箱型形状である。また、フラップ１４、１５は、対向する位置同士がそれぞれ内フラップ１４と外フラップ１５として機能する。そして、箱体５は、内フラップ１４に外フラップ１５を重ね合わせて開口を閉口できる。よって、折り曲げ線は、開閉時の基準となる端部として機能する（以下同様）。なお、この内フラップ１４、及び外フラップ１５は本願のフラップとして機能する。
【００１９】
図３に示すように、口栓保護用仕切体６は、矩形状の基体１８と、当該基体１８の長手方向の両側部を折り曲げ線を介して折り曲げられて形成された端部体１９と、を有する。即ち、当該端部体１９は、当該基体１８の面と直交する方向に折り曲げられて形成されている。また、端部体１９は、ダンボールの段目方向に折り返されて形成されている。
【００２０】
当該口栓保護用仕切体６は、所定の厚みを有するダンボールを所定の形に切り出し、当該ダンボールの段目方向に折り返すことによってコの字型の形状に組み立てられるものである。
【００２１】
また、口栓保護用仕切体６は、段目方向と直交する方向の下端面から上方に向かって切り欠き２０が、当該下端面に沿って複数、形成されている。当該切り欠き２０の幅は、口栓の径とほぼ同じ長さに形成され、当該切り欠き２０に後述する口栓２６の首部分が嵌め入れられる。そして、口栓付きパウチＰの薄肉部２６ｂは当該コの字型の部分に収容される。
【００２２】
また、箱体５に当該口栓保護用仕切体６を取り付ける時における端部体１９の側端面は、図４に示すように、箱体５の上側体１３に当接するように配置される。また、口栓保護用仕切体６は、上側体１３に沿って、箱体５の内部に２個並べて配置される。
【００２３】
また、支持体８は、所定の厚みを有するダンボールを所定の形に切り出し、当該ダンボールの段目方向に折り返すことによってコの字型の形状に組み立てられる。そしてこの支持体８は、口栓保護用仕切体６と同様に、支持体８の側端面は、箱体５の上側体１３に当接するように配置され、箱体５の内部に設けられる。
【００２４】
このようにすれば、当該口栓保護用仕切体６、及び支持体８を箱体５に組み付けた状態において、当該口栓保護用仕切体６、及び支持体８は、箱体５の上側体１３側に、ダンボールの段目方向の端面が臨むように配置されるので、当該口栓保護用仕切体６及び、支持体８は箱体５の上側体１３側からの衝撃に対して強くなる。よって、箱体５の上側体１３側からの衝撃によって、箱体５がつぶれて口栓部に影響を及ぼすのを防止できる。
【００２５】
なお、口栓保護用仕切体６を上下方向に延ばして形成し、口栓保護用仕切体６が支持体８を兼用するようにしても構わない。また、本実施形態では、口栓保護用仕切体６を箱体５の内部に２個並べて配置されているが、箱体５の幅が狭い場合には、口栓保護用仕切体６の両端部体１９が箱体５の側体１２に当接するように１個の口栓保護用仕切体６を箱体５の内部に配置するようにしても構わない。
【００２６】
また、箱体５の内部には、口栓付きパウチＰを収容する際に、当該口栓付きパウチＰが左右に移動するのを防止する左右移動防止用仕切体７（以下、単に「移動防止用仕切体」と称する。）と上下方向に移動するのを防止する上下移動防止用仕切体７ａ（以下、単に「移動防止用仕切体」と称する。）が配置されている。また、各移動防止用仕切体７、７ａは、ダンボールの段目方向と直交する方向の一方の端面が箱体５の開口側になるように配置される。
【００２７】
当該左右移動防止用仕切体７は、２個並べて配置された口栓保護用仕切体６の間であって、箱体５の内部を左右に区分けするように配置されている。また、上下移動防止用仕切体７ａは、当該箱体５の下方に、当該箱体５の内部を上下に区分けするように配置されている。当該上下移動防止用仕切体７ａは、口栓付きパウチＰを収容した状態において、当該口栓付きパウチＰの下端部とほぼ当接するように配置される。なお、当該上下移動防止用仕切体７ａの下方の空間部には、発泡スチロールなどの緩衝部材（図示なし）を収容しておくことが好ましい。
【００２８】
当該箱体に収容される口栓付きパウチについて図５を用いて説明する。
【００２９】
口栓付きパウチＰは、表裏フィルム製のパウチ２５周縁の上部にプラスチック成形体による口栓２６が取り付けられたものである。当該口栓２６は、当該表裏フィルム製のパウチ２５に融着され、内部がパウチ２５の内部と連通している基台２６ａと、薄肉部２６ｂを有する首部分を介して当該基台２６ａに取り付けられている口栓部２６ｃと、を備えて構成され、当該基台２６ａと口栓部２６ｃとは一体的に形成されている。
【００３０】
また、当該口栓付きパウチＰは、当該口栓部２６ｃを折り曲げて、薄肉部２６ｂを切断することにより使用可能となるものである。
【００３１】
当該口栓付きパウチＰは、図６に示すように、箱体５の内部に並べて配置される。その際、口栓付きパウチＰの口栓２６の首部分が口栓保護用仕切体６に形成された切り欠き２０に嵌めこまれ、口栓部２６ｃ及び薄肉部２６ｂは、口栓保護用仕切体６のコの字型の部分に収容される。また、口栓付きパウチＰは左右方向が箱体５の側体１２と上下移動防止用仕切体７の間に収容され、上下方向が口栓保護用仕切体６の基体１８と左右移動防止用仕切体７ａの間に収容される。
【００３２】
なお、箱体５は、図７に示すように、口栓保護用仕切体６の側部体１９と箱体５の上側体１２との間に、当該箱体５の左右側体１２に沿って外枠保護用仕切体３０を備え、当該外枠保護用仕切体３０と左右側体１２との間に空間部を形成するようにして、当該空間部に発泡スチロールなどの緩衝部材３１を収容するようにしても構わない。
【００３３】
以上説明したように、上記実施形態によれば、本願に係る梱包体１は、互いの面が対向して配置されている一対の紙体２ａの間にひだ折りされて段目が形成されている紙体２ｂが配置されて構成されているダンボール２により形成され、薄肉部２６ｂを有する口栓付きパウチＰを収容する梱包体１であって、当該梱包体１は、一端に開口を有し前記開口を開閉可能なフラップ１４、１５が形成されている箱体５と、両端部が当該段目方向に折られてコの字型に形成され、当該段目方向と直交する方向の下端面から上方向に、この下端面に沿って複数の切り欠き２０が形成され、当該箱体５の内部に配置される口栓保護用仕切体６と、を備え、当該口栓保護用仕切体６は、当該口栓保護用仕切体６の段目方向の両端部が当該箱体５の上側体１３に当接するように配置され、当該口栓付きパウチＰの口栓２６が当該切り欠き２０に嵌め込まれるとともに、口栓付きパウチＰの薄肉部２６ｂが当該コの字型の部分に収容されるものである。
【００３４】
このように、口栓保護用仕切体６は、コの字型に形成され、その段目方向の両端部が箱体５の上側体１３に当接するように配置されているので、梱包体１の側体１３側からの衝撃に対して強くなる。
【００３５】
よって、箱体５の内部に収容される口栓付きパウチＰの当該口栓側の方向から内側への衝撃に特に強くなり、当該方向から箱体５に衝撃があっても箱体５はつぶれることなく、口栓２６の部分を保護できる。また、口栓２６の横方向からの衝撃に対しても、口栓保護用仕切体６の基体１８がその衝撃を吸収するため口栓２６の部分は保護される。
【００３６】
よって、口栓付きパウチＰの口栓側の箱体５の上側体１３を効果的に補強できるとともに、口栓付きパウチＰの口栓２６部分を保護できる。
【００３７】
また、当該梱包体１の内部には、当該口栓付きパウチＰが上下左右に移動するのを防止するための移動防止用仕切体７、７ａを備えており、当該移動防止用仕切体７、７ａは、当該箱体５の開口側に、当該移動防止用仕切体７、７ａの段目方向と直交する方向の上端面が臨むように配置されている。このようにすれば、当該箱体５を効果的に補強できる。
【００３８】
さらに、当該移動防止用仕切体は、口栓付きパウチＰの左右方向に移動するのを防止するための左右移動防止用仕切体７と、上下方向に移動するのを防止するための上下移動防止用仕切体７ａと、から構成され、当該口栓保護用仕切体６は２個並べて配置され、当該左右移動防止用仕切体７は、当該両口栓保護用仕切体６の側部体１９との間であって、且つ当該箱体５の側体１２と平行して配置され、当該上下移動防止用仕切体７ａは、当該口栓付きパウチＰが、その軸線方向に移動しないように当該左右移動防止用仕切体７と直交して配置されている。このようにすれば、搬送時において口栓付きパウチＰが上下左右に移動するのを効果的に防止することができる。
【００３９】
さらに当該梱包体１は、ダンボール２を所定の形状に切り分けるのみで、当該梱包体１を製造することが可能であるので、コスト面の効果も大きい。さらに、梱包体１は、容易に組み立てられるので、組立作業時における作業性の向上が図れる。
【図面の簡単な説明】
【００４０】
【図１】ダンボールの外観図である。
【図２】梱包体の組み付け構成図である。
【図３】口栓保護用仕切体の外観図である。
【図４】梱包体の内部構成図である。
【図５】梱包体に収容される口栓付きパウチの外観図である。
【図６】口栓付きパウチを梱包体に収容した際の内部構成図である。
【図７】他の実施形態の梱包体の内部構成図である。
【符号の説明】
【００４１】
Ｐ  口栓付きパウチ
１  梱包体
２  ダンボール
５  箱体
６  口栓保護用仕切体
７、７ａ  移動防止用仕切体
１３  側体
１４、１５  フラップ
２０  切り欠き
【図１】
0004611821.tif 000002
【図２】
0004611821.tif 000003
【図３】
0004611821.tif 000004
【図４】
0004611821.tif 000005
【図５】
0004611821.tif 000006
【図６】
0004611821.tif 000007
【図７】
0004611821.tif 000008